(57)【要約】【課題】  物品の詳細情報の閲覧が可能なＲＦＩＤ情報を有効活用することができ、物品に関するＲＦＩＤ情報の漏洩を防止すると共に、ＲＦＩＤの普及に貢献することができるＲＦＩＤ情報退避復元システムを提供することを目的とする。【解決手段】  上記の課題を解決するため、本発明は、物品の管理場所に設置される端末からのＲＦＩＤ情報と、物品の使用者に関する使用者情報とを取得する情報取得手段と、ＲＦＩＤ情報を退避データベースに退避させる退避手段と、ＲＦＩＤ情報を、物品の管理場所に設置される端末からの使用者情報に関連付けてＲＦＩＤ隠蔽情報に変換するＲＦＩＤ情報変換手段と、退避データベースに退避させたＲＦＩＤ情報を用いて、ＲＦＩＤ隠蔽情報変換手段により変換されたＲＦＩＤ隠蔽情報をＲＦＩＤ情報に復元する復元手段とを有する構成とされる。【選択図】  図１
2005165410.tif 000002
【特許請求の範囲】
【請求項１】
物品に付加されたＲＦＩＤに格納されるＲＦＩＤ情報の退避、復元を行うＲＦＩＤ情報退避復元システムであって、
上記物品の管理場所に設置される端末からの上記ＲＦＩＤ情報と、上記物品の使用者に関する使用者情報とを取得する情報取得手段と、
上記ＲＦＩＤ情報を退避データベースに退避させる退避手段と、
上記ＲＦＩＤ情報を、上記物品の管理場所に設置される端末からの使用者情報に関連付けてＲＦＩＤ隠蔽情報に変換するＲＦＩＤ情報変換手段と、
上記退避データベースに退避させた上記ＲＦＩＤ情報を用いて、上記ＲＦＩＤ隠蔽情報変換手段により変換された上記ＲＦＩＤ隠蔽情報を上記ＲＦＩＤ情報に復元する復元手段とを有することを特徴とするＲＦＩＤ情報退避復元システム。
【請求項２】
上記使用者情報は、上記使用者が上記物品を持ち出した時間を示す時間情報、或いは上記物品の管理場所を示す管理場所情報を有することを特徴とする請求項１記載のＲＦＩＤ情報退避復元システム。
【請求項３】
上記端末から上記ＲＦＩＤ情報、上記使用者情報と共に上記管理場所情報を取得する場合、又は上記使用者が利用する使用者端末で物品情報が閲覧される場合、上記端末、上記使用者端末からの上記使用者情報に基づいて、上記使用者を認証する認証手段を有し、
上記退避手段、或いは上記復元手段の少なくとも一方は上記認証手段を有し、
上記認証手段により上記使用者が認証された場合、上記退避手段は、上記ＲＦＩＤ情報を退避し、上記復元手段は、上記ＲＦＩＤ隠蔽情報を上記ＲＦＩＤ情報に復元することを特徴とする請求項２記載のＲＦＩＤ情報退避復元システム。
【請求項４】
上記情報取得手段は、更に、取得した上記ＲＦＩＤ情報に基づいて、上記物品に関する情報を管理する物品情報サーバーから物品情報を取得することを特徴とする請求項１乃至３いずれか一項記載のＲＦＩＤ情報退避復元システム。
【請求項５】
上記ＲＦＩＤ情報変換手段は、上記ＲＦＩＤ隠蔽情報を暗号化する暗号化手段を有し、
上記復元手段は、上記暗号化手段により暗号化されたＲＦＩＤ隠蔽情報を複号化する復号化手段を有することを特徴とする請求項１乃至４いずれか一項記載のＲＦＩＤ情報退避復元システム。
【請求項６】
上記退避手段は、又は上記ＲＦＩＤ情報変換手段は、上記使用者端末から上記ＲＦＩＤ情報の参照が可能なＷｅｂページを作成するＷｅｂページ作成手段を有することを特徴とする請求項１乃至５いずれか一項記載のＲＦＩＤ情報退避復元システム。
【請求項７】
上記ＲＦＩＤ情報変換手段は、上記ＲＦＩＤ情報を、上記ＲＦＩＤ情報の復元が不可能な無効情報に変換し、
上記Ｗｅｂページ作成手段により作成された上記Ｗｅｂページの所在情報を上記使用者端末に通知する通知手段を有することを特徴とする請求項６記載のＲＦＩＤ情報退避復元システム。
【請求項８】
物品に付加されたＲＦＩＤに格納されるＲＦＩＤ情報の退避、復元を行うＲＦＩＤ情報退避復元システムであって、
上記ＲＦＩＤ情報を管理するサーバーは、
上記物品の管理場所に設置される端末からの上記ＲＦＩＤ情報と、上記物品の使用者に関する使用者情報とを取得する情報取得手段と、
上記ＲＦＩＤ情報を退避データベースに退避させる退避手段と、
上記ＲＦＩＤ情報を、上記物品の管理場所に設置される端末からの使用者情報に関連付けてＲＦＩＤ隠蔽情報に変換するＲＦＩＤ情報変換手段と、
上記退避データベースに退避させた上記ＲＦＩＤ情報を用いて、上記ＲＦＩＤ隠蔽情報変換手段により変換された上記ＲＦＩＤ隠蔽情報を上記ＲＦＩＤ情報に復元する復元手段とを有し、
上記物品の管理場所に設置される端末は、上記ＲＦＩＤから上記ＲＦＩＤ情報を取得するＲＦＩＤ情報取得手段と、
上記使用者情報を取得する使用者情報取得手段と、
上記ＲＦＩＤ情報及び上記使用者情報を上記サーバーに送信する情報送信手段と、
上記サーバーから上記ＲＦＩＤ隠蔽情報を受信するＲＦＩＤ隠蔽情報受信手段と、
上記ＲＦＩＤ情報を上記ＲＦＩＤ隠蔽情報に書き換える書換手段とを有し、
上記使用者端末は、上記ＲＦＩＤから上記ＲＦＩＤ隠蔽情報を取得するＲＦＩＤ隠蔽情報取得手段と、
上記使用者情報を取得する使用者情報取得手段と、
上記ＲＦＩＤ隠蔽情報及び上記使用者情報を上記サーバーに送信する情報送信手段と、
上記サーバーから上記ＲＦＩＤ情報を受信するＲＦＩＤ情報受信手段と、
上記ＲＦＩＤ隠蔽情報を上記ＲＦＩＤ情報へ書き戻しを行う書戻手段とを有することを特徴とするＲＦＩＤ情報退避復元システム。
【請求項９】
物品に付加されたＲＦＩＤに格納されるＲＦＩＤ情報の退避、復元を行うＲＦＩＤ情報退避復元サーバーであって、
上記物品の管理場所に設置される端末からの上記ＲＦＩＤ情報と、上記物品の使用者に関する使用者情報とを取得する情報取得手段と、
上記ＲＦＩＤ情報を退避データベースに退避させる退避手段と、
上記ＲＦＩＤ情報を、上記物品の管理場所に設置される端末からの使用者情報に関連付けてＲＦＩＤ隠蔽情報に変換するＲＦＩＤ情報変換手段と、
上記退避データベースに退避させた上記ＲＦＩＤ情報を用いて、上記ＲＦＩＤ隠蔽情報変換手段により変換された上記ＲＦＩＤ隠蔽情報を上記ＲＦＩＤ情報に復元する復元手段とを有することを特徴とするＲＦＩＤ情報退避復元サーバー。
【請求項１０】
物品に付加されたＲＦＩＤに格納されるＲＦＩＤ情報の退避、復元を行うＲＦＩＤ情報退避復元方法であって、
上記物品の管理場所に設置される端末からの上記ＲＦＩＤ情報と、上記物品の使用者に関する使用者情報とを取得する情報取得手順と、
上記ＲＦＩＤ情報を退避データベースに退避させる退避手順と、
上記ＲＦＩＤ情報を、上記物品の管理場所に設置される端末からの使用者情報に関連付けてＲＦＩＤ隠蔽情報に変換するＲＦＩＤ情報変換手順と、
上記退避データベースに退避させた上記ＲＦＩＤ情報を用いて、上記ＲＦＩＤ隠蔽情報変換手順により変換された上記ＲＦＩＤ隠蔽情報を上記ＲＦＩＤ情報に復元する復元手順とを有することを特徴とするＲＦＩＤ情報退避復元方法。
【発明の詳細な説明】
【技術分野】
【０００１】
本発明はＲＦＩＤ情報退避復元システム及びＲＦＩＤ情報退避復元方法に係り、特に、製品／物品などに付加されたＲＦＩＤ（Ｒａｄｉｏ  Ｆｒｅｑｕｅｎｃｙ−Ｉｄｅｎｔｉｆｉｃａｔｉｏｎ）に格納されるＲＦＩＤ情報を退避、復元を行うＲＦＩＤ情報退避復元システム及びＲＦＩＤ情報退避復元方法に関する。
【背景技術】
【０００２】
従来、販売店で販売される物品には、物品を識別（に加え、生産者、流通経路、物品の素材、取り扱い注意の情報など）するためにバーコードが添付されている。このバーコードから、物品に関する情報（例えば、物品番号、価格など）をＰＯＳ（Ｐｏｉｎｔ  Ｏｆ  Ｓａｌｅｓ）端末のバーコードリーダーで読み込むことができ、会計時に利用されている。
【０００３】
近年、物品にＲＦＩＤ（ＩＣタグ）を付加することにより、物品流通の管理などが行われている。このＲＦＩＤには、その物品を識別する情報（例えば、物品の品番、カラー、サイズなどの詳細な物品情報（ＲＦＩＤ情報））が格納されている。ＲＦＩＤは、非接触で読み書き可能、又は読込み専用であり、繰り返し使用することができる無線による情報認識方法である。ＲＦＩＤは、広く利用されているバーコードに比較して、識別内容の記憶容量は最低なもので１２８ｂｉｔから、大きなものは数Ｋｂｉｔ以上あり、物品を識別するための識別子として利用されつつある。
【０００４】
さらに、ＲＦＩＤ情報の識別時には、無線の読み込み機であるリーダライタ（アンテナとコントローラを有する）により、離れた所から一度に多数の物品等に付けられたＲＦＩＤからＲＦＩＤ情報を読み取ることができる。また、倉庫の奥の方に置かれた物品のＲＦＩＤ情報を読み取ることができるので、物品の在庫確認や位置確認に活用することができる。したがって、現在では、販売店で物品の識別用に用いられているバーコードに代えてＲＦＩＤを用いることが期待されている。
【発明の開示】
【発明が解決しようとする課題】
【０００５】
しかしながら、物品などの識別情報として詳細な内容をＲＦＩＤに格納することができ、非接触式で離れた場所から読み込みが可能であるため、使用者がＲＦＩＤの付加された物品を購入し、家に持ち帰る途中でＲＦＩＤ情報が他人にスキーミングされる可能性があり、使用者が購入した物品情報が他人に漏洩したり、ＲＦＩＤ情報に使用者に関する情報が格納されている場合、更に使用者情報が漏洩してしまうという問題点があった。
【０００６】
また、上記のように使用者以外の他人にＲＦＩＤ情報がスキーミングされる可能性があることにより、個人のプライバシーを侵害するという理由で、アメリカでは物品にＲＦＩＤを付けようとする大規模商店に対する不買運動が起こり、ＲＦＩＤを付けることが取り止められている。このように、ＲＦＩＤの物品情報は使用者にとっても、そのＲＦＩＤ情報を活用できると考えられるためにＲＦＩＤの利用が期待されている反面、プライバシーの面で普及が難しいという問題点があった。
【０００７】
一方、スキーミングを防止するために、ＲＦＩＤに格納されたＲＦＩＤ情報を読み込みできないように無効にしてしまうと、使用者が購入した物品に関する詳細な情報を知ることができず、ＲＦＩＤの効果を最大限利用することができないという問題点があった。
【０００８】
なお、スキーミングを現実に行うことは、技術的に困難であり、かつ費用面でも難しいと思われるが、一般の人々にとって不安感があり、普及しない原因の一つになっている。
【０００９】
そこで、本発明の課題は、物品の詳細情報の閲覧が可能なＲＦＩＤ情報を有効活用することができ、物品に関するＲＦＩＤ情報の漏洩を防止すると共に、ＲＦＩＤの普及に貢献することができるＲＦＩＤ情報退避復元システム及びＲＦＩＤ情報退避復元方法を提供することである。
【課題を解決するための手段】
【００１０】
上記の課題を解決するため、本発明は、請求項１に記載されるように、物品に付加されたＲＦＩＤに格納されるＲＦＩＤ情報の退避、復元を行うＲＦＩＤ情報退避復元システムであって、上記物品の管理場所に設置される端末からの上記ＲＦＩＤ情報と、上記物品の使用者に関する使用者情報とを取得する情報取得手段と、上記ＲＦＩＤ情報を退避データベースに退避させる退避手段と、上記ＲＦＩＤ情報を、上記物品の管理場所に設置される端末からの使用者情報に関連付けてＲＦＩＤ隠蔽情報に変換するＲＦＩＤ情報変換手段と、上記退避データベースに退避させた上記ＲＦＩＤ情報を用いて、上記ＲＦＩＤ隠蔽情報変換手段により変換された上記ＲＦＩＤ隠蔽情報を上記ＲＦＩＤ情報に復元する復元手段とを有する構成とされる。
【００１１】
このようなＲＦＩＤ情報退避復元システムにおいて、物品の管理場所に設置される端末からのＲＦＩＤ情報と、物品の使用者に関する使用者情報とを取得し、ＲＦＩＤ情報を退避データベースに退避させ、ＲＦＩＤ情報を、物品の管理場所に設置される端末からの使用者情報に関連付けてＲＦＩＤ隠蔽情報に変換し、退避させたＲＦＩＤ情報を用いて、変換されたＲＦＩＤ隠蔽情報をＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００１２】
また、上記の課題を解決するため、本発明は、請求項２に記載されるように、上記使用者情報は、上記使用者が上記物品を持ち出した時間を示す時間情報、或いは上記物品の管理場所を示す管理場所情報を有する構成としてもよい。
【００１３】
このようなＲＦＩＤ情報退避復元システムにおいて、使用者情報は、使用者が物品を持ち出した時間を示す時間情報、或いは物品の管理場所を示す管理場所情報を有することにより、物品に関するＲＦＩＤ情報を隠蔽するＲＦＩＤ隠蔽情報を効率的に作成することができる。
【００１４】
また、上記の課題を解決するため、本発明は、請求項３に記載されるように、上記端末から上記ＲＦＩＤ情報、上記使用者情報と共に上記管理場所情報を取得する場合、又は上記使用者が利用する使用者端末で物品情報が閲覧される場合、上記端末、上記使用者端末からの上記使用者情報に基づいて、上記使用者を認証する認証手段を有し、上記退避手段、或いは上記復元手段の少なくとも一方が上記認証手段を有し、上記認証手段により上記使用者が認証された場合、上記退避手段は、上記ＲＦＩＤ情報を退避し、上記復元手段は、上記ＲＦＩＤ隠蔽情報を上記ＲＦＩＤ情報に復元する構成としてもよい。
【００１５】
このようなＲＦＩＤ情報退避復元システムにおいて、端末からＲＦＩＤ情報、使用者情報と共に管理場所情報を取得する場合、又は使用者が利用する使用者端末で物品情報が閲覧される場合、退避手段、或いは復元手段の少なくとも一方が認証手段を有し、認証手段により使用者情報に基づいて使用者が認証された場合、退避手段はＲＦＩＤ情報を退避し、復元手段はＲＦＩＤ隠蔽情報をＲＦＩＤ情報に復元することにより、使用者以外がＲＦＩＤ情報を不正に使用しているか否かを確認することができる。
【００１６】
また、上記の課題を解決するため、本発明は、請求項４に記載されるように、上記情報取得手段は、更に、取得した上記ＲＦＩＤ情報に基づいて、上記物品に関する情報を管理する物品情報サーバーから物品情報を取得する構成としてもよい。
【００１７】
このようなＲＦＩＤ情報退避復元システムにおいて、取得したＲＦＩＤ情報に基づいて、物品に関する情報を管理する物品情報サーバーから物品情報を取得することにより、物品の詳細情報を閲覧することができる。
【００１８】
また、上記の課題を解決するため、本発明は、請求項５に記載されるように、上記ＲＦＩＤ情報変換手段は、上記ＲＦＩＤ隠蔽情報を暗号化する暗号化手段を有し、上記復元手段は、上記暗号化手段により暗号化されたＲＦＩＤ隠蔽情報を複号化する復号化手段を有する構成としてもよい。
【００１９】
このようなＲＦＩＤ情報退避復元システムにおいて、ＲＦＩＤ隠蔽情報を暗号化、複号化することにより、物品に関するＲＦＩＤ情報の漏洩を防止することができる。
【００２０】
また、上記の課題を解決するため、本発明は、請求項６に記載されるように、上記退避手段は、又は上記ＲＦＩＤ情報変換手段は、上記使用者端末から上記ＲＦＩＤ情報の参照が可能なＷｅｂページを作成するＷｅｂページ作成手段を有する構成としてもよい。
【００２１】
このようなＲＦＩＤ情報退避復元システムにおいて、使用者端末からＲＦＩＤ情報の参照が可能なＷｅｂページを作成することにより、物品に関するＲＦＩＤ情報の漏洩を防止し、物品の詳細情報を閲覧することができる。
【００２２】
また、上記の課題を解決するため、本発明は、請求項７に記載されるように、上記ＲＦＩＤ情報変換手段は、上記ＲＦＩＤ情報を、上記ＲＦＩＤ情報の復元が不可能な無効情報に変換し、上記Ｗｅｂページ作成手段により作成された上記Ｗｅｂページの所在情報を上記使用者端末に通知する通知手段を有する構成としてもよい。
【００２３】
このようなＲＦＩＤ情報退避復元システムにおいて、ＲＦＩＤ情報を、ＲＦＩＤ情報の復元が不可能な無効情報に変換し、Ｗｅｂページの所在情報を使用者端末に通知することにより、物品に関するＲＦＩＤ情報の漏洩を防止し、物品の詳細情報を閲覧することができる。
【００２４】
また、上記の課題を解決するため、本発明は、請求項８に記載されるように、物品に付加されたＲＦＩＤに格納されるＲＦＩＤ情報の退避、復元を行うＲＦＩＤ情報退避復元システムであって、上記ＲＦＩＤ情報を管理するサーバーは、上記物品の管理場所に設置される端末からの上記ＲＦＩＤ情報と、上記物品の使用者に関する使用者情報とを取得する情報取得手段と、上記ＲＦＩＤ情報を退避データベースに退避させる退避手段と、上記ＲＦＩＤ情報を、上記物品の管理場所に設置される端末からの使用者情報に関連付けてＲＦＩＤ隠蔽情報に変換するＲＦＩＤ情報変換手段と、上記退避データベースに退避させた上記ＲＦＩＤ情報を用いて、上記ＲＦＩＤ隠蔽情報変換手段により変換された上記ＲＦＩＤ隠蔽情報を上記ＲＦＩＤ情報に復元する復元手段とを有し、
上記物品の管理場所に設置される端末は、上記ＲＦＩＤから上記ＲＦＩＤ情報を取得するＲＦＩＤ情報取得手段と、上記使用者情報を取得する使用者情報取得手段と、上記ＲＦＩＤ情報及び上記使用者情報を上記サーバーに送信する情報送信手段と、上記サーバーから上記ＲＦＩＤ隠蔽情報を受信するＲＦＩＤ隠蔽情報受信手段と、上記ＲＦＩＤ情報を上記ＲＦＩＤ隠蔽情報に書き換える書換手段とを有し、
上記使用者端末は、上記ＲＦＩＤから上記ＲＦＩＤ隠蔽情報を取得するＲＦＩＤ隠蔽情報取得手段と、上記使用者情報を取得する使用者情報取得手段と、上記ＲＦＩＤ隠蔽情報及び上記使用者情報を上記サーバーに送信する情報送信手段と、上記サーバーから上記ＲＦＩＤ情報を受信するＲＦＩＤ情報受信手段と、上記ＲＦＩＤ隠蔽情報を上記ＲＦＩＤ情報へ書き戻しを行う書戻手段とを有する構成としてもよい。
【００２５】
このようなＲＦＩＤ情報退避復元システムにおいて、ＲＦＩＤ情報を管理するサーバーは、物品の管理場所に設置される端末からのＲＦＩＤ情報と、使用者に関する使用者情報とを取得し、ＲＦＩＤ情報を退避データベースに退避し、ＲＦＩＤ情報を使用者情報に関連付けてＲＦＩＤ隠蔽情報に変換し、退避させたＲＦＩＤ情報を用いて、変換されたＲＦＩＤ隠蔽情報をＲＦＩＤ情報に復元し、
物品の管理場所に設置される端末は、ＲＦＩＤからＲＦＩＤ情報を取得し、使用者情報を取得し、ＲＦＩＤ情報及び使用者情報をサーバーに送信し、サーバーからＲＦＩＤ隠蔽情報を受信し、ＲＦＩＤ情報をＲＦＩＤ隠蔽情報に書き換え、
使用者端末は、ＲＦＩＤからＲＦＩＤ隠蔽情報を取得し、使用者情報を取得し、ＲＦＩＤ隠蔽情報及び使用者情報をサーバーに送信し、サーバーからＲＦＩＤ情報を受信し、ＲＦＩＤ隠蔽情報をＲＦＩＤ情報へ書き戻しを行うことにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００２６】
また、上記の課題を解決するため、本発明は、請求項９に記載されるように、物品に付加されたＲＦＩＤに格納されるＲＦＩＤ情報の退避、復元を行うＲＦＩＤ情報退避復元システムであって、上記ＲＦＩＤ情報を管理するサーバーは、上記物品の管理場所に設置される端末からの上記ＲＦＩＤ情報と、上記物品の使用者に関する使用者情報とを取得する情報取得手段と、上記ＲＦＩＤ情報を退避データベースに退避させる退避手段と、上記ＲＦＩＤ情報を、上記物品の管理場所に設置される端末からの使用者情報に関連付けてＲＦＩＤ隠蔽情報に変換するＲＦＩＤ情報変換手段と、上記退避データベースに退避させた上記ＲＦＩＤ情報を用いて、上記ＲＦＩＤ隠蔽情報変換手段により変換された上記ＲＦＩＤ隠蔽情報を上記ＲＦＩＤ情報に復元する復元手段とを有する構成としてもよい。
【００２７】
このようなＲＦＩＤ情報退避復元システムにおいて、ＲＦＩＤ情報を管理するサーバーは、物品の管理場所に設置される端末からのＲＦＩＤ情報と、物品の使用者に関する使用者情報とを取得し、ＲＦＩＤ情報を退避データベースに退避させ、ＲＦＩＤ情報を、物品の管理場所に設置される端末からの使用者情報に関連付けてＲＦＩＤ隠蔽情報に変換し、退避させたＲＦＩＤ情報を用いて、変換されたＲＦＩＤ隠蔽情報をＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００２８】
また、上記の課題を解決するため、本発明は、請求項１０に記載されるように、物品に付加されたＲＦＩＤに格納されるＲＦＩＤ情報の退避、復元を行うＲＦＩＤ情報退避復元方法であって、上記物品の管理場所に設置される端末からの上記ＲＦＩＤ情報と、上記物品の使用者に関する使用者情報とを取得する情報取得手順と、上記ＲＦＩＤ情報を退避データベースに退避させる退避手順と、上記ＲＦＩＤ情報を、上記物品の管理場所に設置される端末からの使用者情報に関連付けてＲＦＩＤ隠蔽情報に変換するＲＦＩＤ情報変換手順と、上記退避データベースに退避させた上記ＲＦＩＤ情報を用いて、上記ＲＦＩＤ隠蔽情報変換手順により変換された上記ＲＦＩＤ隠蔽情報を上記ＲＦＩＤ情報に復元する復元手順とを有する構成としてもよい。
【００２９】
このようなＲＦＩＤ情報退避復元方法において、物品の管理場所に設置される端末からのＲＦＩＤ情報と、物品の使用者に関する使用者情報とを取得し、ＲＦＩＤ情報を退避データベースに退避させ、ＲＦＩＤ情報を、物品の管理場所に設置される端末からの使用者情報に関連付けてＲＦＩＤ隠蔽情報に変換し、退避させたＲＦＩＤ情報を用いて、変換されたＲＦＩＤ隠蔽情報をＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００３０】
また、上記課題を解決するため、本発明は、ＲＦＩＤ情報退避復元方法をコンピュータに実行させるためのプログラム、及びそのプログラムを格納した記録媒体とすることもできる。
【発明の効果】
【００３１】
本願発明によれば、物品の管理場所に設置される端末からのＲＦＩＤ情報と、物品の使用者に関する使用者情報とを取得し、ＲＦＩＤ情報を退避データベースに退避させ、ＲＦＩＤ情報を、物品の管理場所に設置される端末からの使用者情報に関連付けてＲＦＩＤ隠蔽情報に変換し、退避させたＲＦＩＤ情報を用いて、変換されたＲＦＩＤ隠蔽情報をＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【発明を実施するための最良の形態】
【００３２】
以下、本発明の実施の形態を図面に基づいて説明する。図１は、本発明の第１実施例に係るＲＦＩＤ情報退避復元システムを示す構成図である。図１において、物品に付加されたＲＦＩＤに格納されているＲＦＩＤ情報の漏洩を防止するＲＦＩＤ情報退避復元システム１０は、ＲＦＩＤ情報の管理に関する処理を行う情報管理サーバー２０と、物品を管理、販売する複数の販売店に設けられたＰＯＳ端末（又はＰＣ）であり、物品のＲＦＩＤ情報の読み書き等を行う販売店端末３０と、物品を購入した使用者が利用し、購入した物品のＲＦＩＤ情報から物品の詳細情報を取得する使用者端末４０等で構成されるシステムである。また、情報管理サーバー２０と、販売店端末３０と、使用者端末４０は、インターネットなどのネットワーク１で接続されている。
【００３３】
情報管理サーバー２０は、サーバーコンピュータであって、ＣＰＵ（中央処理装置）によって各構成が制御される。ＣＰＵは、メモリユニットに格納された本発明のＲＦＩＤ情報退避復元システムを実行するプログラムに従って処理を行う。例えば、ＲＦＩＤ情報退避復元処理を実行するまでの過程を以下に説明すると、ＲＦＩＤ情報退避復元処理プログラムが記録された記録媒体（図示せず）から、情報管理サーバー２０内蔵のインストーラにより読み出され、その読み出されたプログラムは、例えば、補助記憶装置等にインストールされる。そして、後述される電子スクラップ処理が起動されると、補助記憶装置にインストールされた当該プログラムに従って、ＣＰＵがその処理を開始する。尚、記録媒体は、ＣＤ−ＲＯＭなどプログラムが格納可能であり、コンピュータが読み取り可能な媒体であればよい。また、上記情報管理サーバー２０、販売店端末３０、使用者端末４０でのＲＦＩＤ情報退避復元処理については、図３、図４、図６、図７で詳細に説明する。
【００３４】
情報管理サーバー２０は、主に、販売店端末３０と使用者端末４０から情報を取得する情報取得処理部２１と、取得したＲＦＩＤ情報を退避させる退避処理部２２と、いずれか一つ以上の使用者情報からＲＦＩＤ隠蔽情報を作成し、使用者情報に基づいてＲＦＩＤ情報をＲＦＩＤ隠蔽情報に変換するＲＦＩＤ情報変換処理部２３と、物品情報の閲覧を要求する使用者の認証を行う認証処理部２４と、退避させたＲＦＩＤ情報を用いてＲＦＩＤ情報を復元する復元処理部２５と、ＲＦＩＤ情報が格納されたＲＦＩＤ退避情報ＤＢ２００と、使用者情報に基づいて変換されたＲＦＩＤ隠蔽情報が格納された使用者情報ＤＢ２１０とを有する。
【００３５】
情報取得処理部２１は、販売店端末３０からＲＦＩＤ情報と使用者情報とを取得し、使用者端末４０からＲＦＩＤ隠蔽情報と使用者情報とを取得する。情報取得処理部２１は、販売店端末３０から取得したＲＦＩＤ情報を退避処理部２２へ提供し、販売店端末３０から取得した使用者情報をＲＦＩＤ情報変換処理部２３に提供する。また、情報取得処理部２１は、使用者端末４０から取得したＲＦＩＤ隠蔽情報、使用者情報を、認証処理部２４へ提供する。
【００３６】
退避処理部２２は、情報取得処理部２１により取得したＲＦＩＤ情報に、個々の物品を識別するための識別ＩＤを付加してＲＦＩＤ退避情報ＤＢ２００へ格納する。ＲＦＩＤ情報変換処理部２３は、使用者情報からＲＦＩＤ隠蔽情報を作成して使用者情報ＤＢ２１０へ格納すると共に、販売店端末３０へＲＦＩＤ隠蔽情報を提供し、ＲＦＩＤにＲＦＩＤ隠蔽情報を書き込む要求を行う。尚、ＲＦＩＤ情報変換処理部２３でのＲＦＩＤ隠蔽情報の作成は販売店端末３０で行うようにしてもよい。
【００３７】
認証処理部２４は、使用者情報ＤＢ２１０に格納されたＲＦＩＤ隠蔽情報と、使用者端末４０から供給された使用者情報とにより、物品情報の閲覧を要求する使用者の認証を行う。また、使用者端末４０により物品の詳細情報がＷｅｂページで閲覧される場合、認証処理部２４は、退避、復元時のセキュリティを重視して使用者端末４０の認証を行う。復元処理部２５は、ＲＦＩＤ退避情報ＤＢ２００に格納されたＲＦＩＤ情報を使用者端末４０に提供し、ＲＦＩＤにＲＦＩＤ情報を書き込む要求を行い、ＲＦＩＤ情報を復元させる。
【００３８】
販売店端末３０は、主に、ＲＦＩＤに格納された情報を取得するＲＦＩＤ情報取得処理部３１と、ＲＦＩＤ情報と使用者情報を情報管理サーバー２０へ送信する情報送信処理部３２と、ＲＦＩＤ５に格納されたＲＦＩＤ情報を情報管理サーバー２０から受信したＲＦＩＤ隠蔽情報に書換えるＲＦＩＤ隠蔽情報書換処理部３３と、情報管理サーバー２０からＲＦＩＤ隠蔽情報を受信するＲＦＩＤ隠蔽情報受信処理部３４と、使用者情報を取得する使用者情報取得処理部３５とで構成される。また、販売店端末３０には、物品に添付されたＲＦＩＤ５のＲＦＩＤ情報を読み書きするＲＦＩＤリーダ／ライタ５０が接続されている。
【００３９】
ＲＦＩＤ情報取得処理部３１は、ＲＦＩＤリーダ／ライタ５０によりＲＦＩＤ５に格納されたＲＦＩＤ情報を取得する。情報送信処理部３２は、ＲＦＩＤ情報及び使用者情報を情報管理サーバー２０へ送信する。ＲＦＩＤ隠蔽情報書換処理部３３は、ＲＦＩＤ５に格納されたＲＦＩＤ情報を、情報管理サーバー２０から受信したＲＦＩＤ隠蔽情報に書換える。ＲＦＩＤ隠蔽情報受信処理部３４は、情報管理サーバー２０から所定の使用者のＲＦＩＤ隠蔽情報を受信する。使用者情報取得処理部３５は、販売店端末３０に設けられた入力ユニットから入力された使用者に関する使用者情報を取得する。物品情報表示処理部４６は、ＲＦＩＤ５に書き戻されたＲＦＩＤ情報を情報管理サーバー２０へ提供し、そのＲＦＩＤ情報に基づいて提供された物品情報をディスプレイに表示させる。
【００４０】
尚、使用者情報は、販売店への会員登録などで設定された会員番号や認証コード、使用者の電話番号や電子メールアドレスなどで構成される。
【００４１】
使用者端末４０は、主に、ＲＦＩＤ５に格納されたＲＦＩＤ隠蔽情報を取得するＲＦＩＤ隠蔽情報取得処理部４１と、ＲＦＩＤ隠蔽情報及び使用者情報を情報管理サーバー２０へ送信する情報送信処理部４２と、ＲＦＩＤ５に格納されたＲＦＩＤ隠蔽情報を情報管理サーバー２０から受信したＲＦＩＤ情報に書き戻すＲＦＩＤ情報書戻し処理部４３と、情報管理サーバー２０からＲＦＩＤ情報を受信するＲＦＩＤ情報受信処理部４４と、使用者情報を取得する使用者情報取得処理部４５と、ＲＦＩＤ情報に基づいて物品情報を表示する物品情報表示処理部４６とで構成される。使用者端末４０には、物品に添付されたＲＦＩＤ５のＲＦＩＤ情報を読み書きするＲＦＩＤリーダ／ライタ５０が接続されている。
【００４２】
ＲＦＩＤ隠蔽情報取得処理部４１は、ＲＦＩＤリーダ／ライタ５１により販売店端末３０により書き換えられたＲＦＩＤ５のＲＦＩＤ隠蔽情報を取得する。情報送信処理部４２は、ＲＦＩＤ隠蔽情報及び使用者情報を情報管理サーバー２０へ送信する。ＲＦＩＤ情報書戻し処理部４３は、ＲＦＩＤ５に格納されたＲＦＩＤ隠蔽情報を情報管理サーバー２０から受信したＲＦＩＤ情報に書き戻す。ＲＦＩＤ情報受信処理部４４は、情報管理サーバー２０からＲＦＩＤ情報を受信する。使用者情報取得処理部４５は、使用者端末４０に設けられたキーボードなどの入力ユニットから入力された使用者情報を取得する。
【００４３】
以下にＲＦＩＤ情報退避復元システムでの処理の概要を説明する。使用者が販売店でＲＦＩＤ５が付加された物品を購入した場合、先ず、販売店端末３０のＲＦＩＤ情報取得処理部３１は、ＲＦＩＤリーダ／ライタ５０により、ＲＦＩＤ５に格納されたＲＦＩＤ情報が読み込まれる。同時に、使用者情報取得処理部３５により使用者情報が取得される。情報送信処理部３２は、ＲＦＩＤ情報、使用者情報を情報管理サーバー２０に送信する。
【００４４】
情報管理サーバー２０では、販売店端末３０から情報取得処理部２１によりＲＦＩＤ情報及び使用者情報が取得される。退避処理部２２は、ＲＦＩＤ情報をＲＦＩＤ退避情報ＤＢ２００に格納する。ＲＦＩＤ情報変換処理部２３は、使用者情報に基づいてＲＦＩＤ情報をＲＦＩＤ隠蔽情報に変換し、使用者端末４０へ提供する。また、ＲＦＩＤ情報変換処理部２３は、ＲＦＩＤ隠蔽情報を使用者情報ＤＢ２１０に格納する。
【００４５】
販売店端末３０では、ＲＦＩＤ隠蔽情報受信処理部３４により情報管理サーバー２０からＲＦＩＤ隠蔽情報を受信する。ＲＦＩＤ隠蔽情報書換処理部３３は、ＲＦＩＤリーダ／ライタ５０を制御してＲＦＩＤ５のＲＦＩＤ情報をＲＦＩＤ隠蔽情報へ書換える。即ち、ＲＦＩＤ５のＲＦＩＤ情報を無効にする。
【００４６】
使用者がＲＦＩＤ隠蔽情報に書換えられたＲＦＩＤ５を自宅に持ち帰り、購入した物品の詳細情報を閲覧したい場合、使用者端末４０のＲＦＩＤ隠蔽情報取得処理部４１は、ＲＦＩＤリーダ／ライタ５１によりＲＦＩＤ５に書き込まれたＲＦＩＤ隠蔽情報を取得する。同時に、使用者情報取得処理部４５により使用者情報が取得される。情報送信処理部４２は、認識情報、使用者情報を情報管理サーバー２０に送信する。
【００４７】
情報管理サーバー２０では、使用者端末４０から情報取得処理部２１によりＲＦＩＤ隠蔽情報及び使用者情報が取得される。認証処理部２４は、ＲＦＩＤ隠蔽情報及び使用者情報に基づいて使用者の認証を行う。復元処理部２５は、認証処理部２４により使用者が認証されたとき、ＲＦＩＤ退避情報ＤＢ２００から所定のＲＦＩＤ情報を抽出し、使用者端末４０へ送信する。
【００４８】
使用者端末４０では、ＲＦＩＤ情報受信処理部４４により情報管理サーバー２０からＲＦＩＤ情報を受信する。ＲＦＩＤ情報書戻し処理部４３は、ＲＦＩＤリーダ／ライタ５１を制御してＲＦＩＤ５のＲＦＩＤ隠蔽情報をＲＦＩＤ情報へ書き戻す。即ち、ＲＦＩＤ５のＲＦＩＤ情報を有効にする。物品情報表示処理部４６は、ＲＦＩＤ５に書き戻されたＲＦＩＤ情報を情報管理サーバー２０へ提供し、そのＲＦＩＤ情報に基づいて提供された物品情報をディスプレイに表示させる。
【００４９】
このように、物品に関するＲＦＩＤ情報を使用者毎に情報管理サーバー２０に退避させ、ＲＦＩＤ情報をＲＦＩＤ隠蔽情報に変換し、また、使用者の認証結果に応じてＲＦＩＤ隠蔽情報からＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００５０】
また、販売店端末３０からＲＦＩＤ情報、使用者情報と共に、販売店端末３０に関する管理場所情報を情報管理サーバー２０に送信し、又は使用者端末４０からＲＦＩＤ情報に基づいて物品情報が閲覧される場合、使用者情報により使用者が認証された場合、ＲＦＩＤ情報を退避し、ＲＦＩＤ隠蔽情報をＲＦＩＤ情報に復元することにより、使用者以外がＲＦＩＤ情報を不正に使用しているか否かを確認することができる。
【００５１】
次に、上記ＲＦＩＤ情報退避復元システム１０の変形例について説明する。図２は、本発明の第１実施例の変形例に係るＲＦＩＤ情報退避復元システムを示す構成図である。また、図２に示すＲＦＩＤ情報退避復元システム１１において、図１に示すＲＦＩＤ情報退避復元システム１０と同様の構成については同様の符号を付して説明を省略し、以下に相異点について詳細に説明する。
【００５２】
図２に示すＲＦＩＤ情報退避復元システム１１は、販売店端末３０、使用者端末４０、情報管理サーバー２０からの要求に応じて物品情報を提供する物品情報サーバー６０を有する。物品情報サーバー６０は、物品に関する企業情報が格納された企業情報ＤＢ６１と、
業界情報が格納された業界情報ＤＢ６２等を有する。
【００５３】
情報管理サーバー２０では、退避処理部２２は使用者端末４０へ物品情報を提供するためのＷｅｂページを作成するＷｅｂページ作成処理部２６を有すると共に、物品情報を格納した物品情報ＤＢ２２０とを有する。Ｗｅｂページ作成処理部２６は、ＰＣ、携帯端末など様々な端末に対応可能なＷｅｂページを作成する。
【００５４】
また、物品情報ＤＢ２２０に格納される物品情報は、物品情報サーバー６０から提供され、物品に関する企業情報、業界情報、物品の詳細を示す情報などを有し、物品を識別する識別ＩＤにより管理される。尚、物品情報サーバー６０は、定期的に最新の物品情報を情報管理サーバー２０に提供するようにしてもよい。
【００５５】
情報管理サーバー２０に、ＲＦＩＤ情報が退避され、ＲＦＩＤ情報がＲＦＩＤ隠蔽情報に変換された後、販売店端末３０又は使用者端末４０から取得した使用者情報が、例えば、携帯電話の電子メールアドレスである場合、Ｗｅｂページ作成処理部２６は、電話網３を介して携帯電話用のＷｅｂページの所在を示すＵＲＬ（Ｕｎｉｆｏｒｍ  Ｒｅｓｏｕｒｃｅ  Ｌｏｃａｔｏｒ）を電子メールで携帯電話６に送信する。
【００５６】
このように、携帯電話６に物品情報のＵＲＬを提供することにより、物品情報サーバー６０からの最新の物品情報を閲覧することができると共に、物品に関するＲＦＩＤ情報の漏洩を防止することができる。また、ＰＣに限らず携帯電話６に対応することができるため、多くの使用者に物品情報の提供が可能となり、ＲＦＩＤ情報を有効活用することができる。
【００５７】
次に、情報管理サーバー２０で実行されるＲＦＩＤ情報退避復元処理の詳細について説明する。図３は、情報管理サーバーでの処理を示すフローチャート図である。図３において、先ず、ステップＳ１０の処理で、情報管理サーバー２０のＲＦＩＤ情報変換処理部２３は、販売店からのＲＦＩＤの変換要求があるか否かを判断する。ステップＳ１０の処理で、販売店からのＲＦＩＤの変換要求があると判断された場合、ステップＳ１１の処理で、退避処理部２２は、販売店端末３０から受信したＲＦＩＤ情報をＲＦＩＤ退避情報ＤＢ２００で管理する。ステップＳ１２の処理で、ＲＦＩＤ情報変換処理部２３は、ＲＦＩＤ情報と使用者情報とに基づいてＲＦＩＤ隠蔽情報を作成し、使用者情報ＤＢ２１０で管理する。尚、ここで作成されるＲＦＩＤ隠蔽情報は暗号化されるものとする。ステップＳ１３の処理で、ＲＦＩＤ情報変換処理部２３は、ＲＦＩＤ隠蔽情報を販売店端末３０に送信する。
【００５８】
また、ステップＳ１０の処理で、販売店からのＲＦＩＤの変換要求でないと判断された場合、即ち、使用者端末４０からの要求である場合、ステップＳ１４の処理で、認証処理部２４は、使用者端末４０からＲＦＩＤ読込み要求であるか否かを判断する。ステップＳ１４の処理で、使用者端末４０からＲＦＩＤ読込み要求である場合、ステップＳ１５の処理で、認証処理部２４は、既に認証済みのグループであるか否かを判断する。ここで、複数の物品を一つのグループとして管理されているものとする。グループＩＤ、即ち、物品（ＲＦＩＤ）を識別するための識別ＩＤについて図５で詳細に説明する。
【００５９】
ステップＳ１５の処理で、既に認証済みのグループである場合、ステップＳ１８の処理で、認証処理部２４は、認証が成功したことを使用者端末４０へ通知する。ステップＳ１５の処理で、既に認証済みのグループでない場合、ステップＳ１６の処理で、認証処理部２４は、使用者情報ＤＢ２１０で管理している使用者情報に基づいて、その使用者の認証を行なう。ステップＳ１７の処理で、認証処理部２４は、認証成功したか否かを判断する。ステップＳ１７の処理で、認証成功しなかった場合、処理を終了する。ステップＳ１７の処理で、認証成功した場合、ステップＳ１８の処理を実行する。
【００６０】
ステップＳ１４の処理で、使用者端末４０からＲＦＩＤ読込み要求でない場合、即ち、認証後のＲＦＩＤ情報を復元する要求である場合、ステップＳ１９の処理で、復元処理部２５は、使用者端末４０からＲＦＩＤに格納されたＲＦＩＤ隠蔽情報を取得する。ステップＳ２０の処理で、復元処理部２５は、ＲＦＩＤ隠蔽情報と対応するＲＦＩＤ情報を使用者端末４０に送信する。尚、ステップＳ１９、Ｓ２０の処理は、認証成功後に実行することも可能である。
【００６１】
このように、情報管理サーバー２０でＲＦＩＤ情報を管理し、ＲＦＩＤ情報をＲＦＩＤ隠蔽情報に変換し、また、使用者の認証結果に応じてＲＦＩＤ隠蔽情報からＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００６２】
次に、販売店端末３０で実行されるＲＦＩＤ情報退避復元処理の詳細について説明する。図４は、販売店端末での処理を示すフローチャート図である。図４において、先ず、ステップＳ３０の処理で、販売店端末３０のＲＦＩＤ情報取得処理部３１は、購入された複数の物品をグループ化して識別ＩＤを作成し、使用者情報取得処理部３５は、使用者に関する使用者情報を取得する。ステップＳ３１の処理で、ＲＦＩＤ情報取得処理部３１は、全ての物品に対して処理が終了したか否かを判断する。ステップＳ３１の処理で、全ての物品に対して処理が終了した場合、販売店端末３０での処理を終了する。ステップＳ３１の処理で、全ての物品に対して処理が終了していない場合、ステップＳ３２の処理で、ＲＦＩＤ情報取得処理部３１は、ＲＦＩＤからＲＦＩＤリーダ／ライタ５０により物品のＲＦＩＤ情報を読み込む。ステップＳ３３の処理で、情報送信処理部３２は、ＲＦＩＤ情報及び使用者情報を情報管理サーバー２０へ送信する。
【００６３】
ここで、読み込み専用のＲＦＩＤの場合、情報送信処理部３２は、ＲＦＩＤ情報を、ＲＦＩＤ情報の読込みが不可能な無効情報（オールゼロ等を書き込む）に書き換える処理を行う。ステップＳ３４の処理で、ＲＦＩＤ隠蔽情報処理部３３は、読み込み可能なＲＦＩＤであるか否かを判断する。ステップＳ３４の処理で、読み込み可能なＲＦＩＤである場合、ステップＳ３５の処理で、情報管理サーバー２０から送信されたＲＦＩＤ隠蔽情報をＲＦＩＤに書き込む。ステップＳ３４の処理で、読み込み可能なＲＦＩＤでない場合、ステップＳ３１からの処理を繰り返す。
【００６４】
このように、販売店端末３０は、ＲＦＩＤ情報を情報管理サーバー２０に提供して退避させ、情報管理サーバー２０から送信されたＲＦＩＤ隠蔽情報をＲＦＩＤに書き込むことにより、物品に関するＲＦＩＤ情報の漏洩を防止することができる。
【００６５】
次に、物品（ＲＦＩＤ）を識別するための識別ＩＤのレコードについて説明する。図５は、識別ＩＤのレコードの形態を示す図である。図５に示す識別ＩＤレコード５５は、情報管理サーバー２０で管理されるＲＦＩＤ情報、認識情報とに用いられ、物品に付加されたＲＦＩＤを識別する識別ＩＤを示している。識別ＩＤレコード５５は、複数の物品を一つのグループとして識別するためのグループＩＤ５６と、各グループに割り振られた番号を示す追番５７とで構成される。グループＩＤ５６は、販売店を識別する販売店識別情報と、物品を購入した時間を示すタイムスタンプとを有する。
【００６６】
このような識別ＩＤを用いることにより、ＲＦＩＤ情報、ＲＦＩＤ隠蔽情報を効率的に管理し、これらのＲＦＩＤ情報、ＲＦＩＤ隠蔽情報を有効活用することができる。
【００６７】
次に、読書き可能なＲＦＩＤの場合の使用者端末４０で実行される処理について説明する。図６は、読書き可能なＲＦＩＤの場合の使用者端末での処理を示すフローチャート図である。図６において、先ず、ステップＳ４０の処理で、使用者が詳細情報を知りたい物品があるか否かが判断される。ステップＳ４０の処理で詳細情報を知りたい物品がない場合、使用者端末４０での処理を終了する。ステップＳ４０の処理で詳細情報を知りたい物品がある場合、ステップＳ４１の処理で、ＲＦＩＤ隠蔽情報取得処理部４１は、ＲＦＩＤからＲＦＩＤ隠蔽情報を取得する。ステップＳ４２の処理で、ＲＦＩＤ隠蔽情報取得処理部４１は、ＲＦＩＤの情報が有効であるか否か、即ち、ＲＦＩＤにＲＦＩＤ隠蔽情報が格納された書き込み可能なＲＦＩＤであるか、読込み専用のＲＦＩＤであるか否かを判断する。
【００６８】
ステップＳ４２の処理で、ＲＦＩＤの情報が有効でない、即ち、ＲＦＩＤが読込み専用である場合、ステップＳ４０からの処理を繰り返す。ステップＳ４２の処理で、ＲＦＩＤの情報が有効である、即ち、ＲＦＩＤが読み書き可能である場合、ステップＳ４３の処理で、物品情報表示処理部４６は、ＲＦＩＤに格納された情報が有効であるか否か、即ち、ＲＦＩＤ情報に復元されているか否かを判断する。ステップＳ４３の処理で、ＲＦＩＤに格納された情報が有効である場合、ステップＳ４４の処理で、物品情報表示処理部４６は、ＲＦＩＤ情報に基づいて情報管理サーバー２０から取得した物品情報をディスプレイに表示する。
【００６９】
ステップＳ４３の処理で、ＲＦＩＤに格納された情報が有効でない場合、ステップＳ４５の処理で、使用者端末４０へ情報管理サーバー２０からの問い合わせが行われる。ステップＳ４６の処理で、情報送信処理部４２は、ＲＦＩＤ隠蔽情報及び使用者情報を情報管理サーバー２０へ提供する。ステップＳ４７の処理で、ＲＦＩＤ情報受信処理部４４は、情報管理サーバー２０による認証が成功したか否か、即ち、情報管理サーバー２０からＲＦＩＤ情報を受信したか否かを判断する。ステップＳ４７の処理で、認証が成功しなかった場合、ステップＳ４０からの処理を行う。ステップＳ４７の処理で、認証が成功した場合、ステップＳ４８の処理で、ＲＦＩＤ情報書戻し処理部４３は、受信したＲＦＩＤ情報をＲＦＩＤに書き込む。ステップＳ４９の処理で、物品情報表示処理部４６は、ＲＦＩＤ情報に基づいて情報管理サーバー２０から取得した物品情報をディスプレイに表示する。
【００７０】
このように、使用者端末４０は、ＲＦＩＤ隠蔽情報を情報管理サーバー２０に提供し、認証結果に応じてＲＦＩＤ情報を受信してＲＦＩＤに書戻し、そのＲＦＩＤ情報に基づいて物品情報を表示させることにより、物品に関するＲＦＩＤ情報の漏洩を防止し、使用者は購入した物品の詳細情報を閲覧することができる。
【００７１】
次に、読込み専用ＲＦＩＤの場合の使用者端末４０で実行される処理について説明する。図７は、読込み専用ＲＦＩＤの場合の使用者端末での処理を示すフローチャート図である。図７において、読込み専用ＲＦＩＤの場合、ＲＦＩＤの情報が無効となっているため、情報管理サーバー２０から使用者端末４０へ、物品の詳細情報を閲覧するためのＷｅｂページの所在情報であるＵＲＬがメールで通知される。先ず、ステップＳ５０の処理で、使用者端末４０からメールで通知されたＵＲＬがクリックされる。ステップＳ５１の処理で、使用者端末４０へ情報管理サーバー２０から問い合わせが行なわれる。ステップＳ５２の処理で、情報送信処理部４２は、情報管理サーバー２０へＲＦＩＤ情報及び使用者情報を送信する。
【００７２】
ステップＳ５３の処理で、情報管理サーバー２０による認証が成功したか否か、即ち、情報管理サーバー２０が使用者端末４０にＷｅｂページの提供が可能か否かを判断する。ステップＳ５３の処理で、情報管理サーバー２０による認証が成功しなかった場合、処理を終了する。ステップＳ５３の処理で、情報管理サーバー２０による認証が成功した場合、ステップＳ５４の処理で、物品情報表示処理部４６は、情報管理サーバー２０から提供されたＷｅｂページを表示する。ステップＳ５５の処理で、使用者が詳細情報を知りたい物品があるか否かが判断される。ステップＳ５５の処理で詳細情報を知りたい物品がない場合、使用者端末４０での処理を終了する。
【００７３】
ステップＳ５５の処理で詳細情報を知りたい物品がある場合、ステップＳ５６の処理で、使用者端末４０によりＷｅｂページで参照したい物品情報をクリックする。ステップＳ５７の処理で、物品情報表示処理部４６は、情報管理サーバー２０から提供された物品の詳細情報を表示する。
【００７４】
尚、上記Ｗｅｂページは、情報管理サーバー２０のＷｅｂページ作成処理部２６により、物品情報サーバー６０からの物品情報と、ＲＦＩＤ退避情報ＤＢ２００に格納されたＲＦＩＤ情報とに基づいて予め作成されているものとする。
【００７５】
このように、使用者端末４０は、情報管理サーバー２０から提供されたＵＲＬのＷｅｂページを表示させ、ＲＦＩＤ隠蔽情報を情報管理サーバー２０に提供し、認証結果に応じて物品の詳細情報を表示させることにより、物品に関するＲＦＩＤ情報の漏洩を防止し、使用者は購入した物品の詳細情報を閲覧することができる。
【００７６】
次に、読書き可能なＲＦＩＤの場合のＲＦＩＤ情報退避復元処理について詳細に説明する。図８は、読書き可能なＲＦＩＤの場合のＲＦＩＤ情報退避復元処理を示すフローチャート図である。尚、図８に示す物品情報サーバー６０は、物品に関する企業情報が格納された企業情報ＤＢ６１と、物品情報が格納された物品情報ＤＢ６３と、情報管理サーバー２０を認証するためのサーバー認証情報が格納されたサーバー認証情報ＤＢ６４とを有するものとする。図８において、使用者が読書き可能なＲＦＩＤ５が付加された物品を購入する場合、販売店端末３０（レジ）に設置されたＲＦＩＤリーダ／ライタ５０によりＲＦＩＤ５に格納されたＲＦＩＤ情報であるレコード１００が読み込まれる（ステップＳ１）。尚、レコード１００には、物品の詳細情報と関連付けられた機関ＩＤ、企業ＩＤ、製品ＩＤ、シリアルＮｏが格納されている。
【００７７】
ＲＦＩＤリーダ／ライタ５０により読み込まれたＲＦＩＤ情報のレコード１００は、物品情報サーバー６０へ提供され、物品の詳細情報が検索される（ステップＳ２）。同時に、ＲＦＩＤリーダ／ライタ５０により読み込まれたレコード１００及び販売店端末３０から入力された使用者情報が、情報管理サーバー２０へ提供され、レコード１００にＲＦＩＤを識別するための識別ＩＤを付加したレコード１０１がＲＦＩＤ退避情報ＤＢ２００に登録される。また、情報管理サーバー２０は、ＲＦＩＤ情報を使用者情報に基づいてＲＦＩＤ隠蔽情報に変換したレコード１０２を作成し、使用者情報ＤＢ２１０に登録する。作成されたＲＦＩＤ隠蔽情報のレコード１０２は、販売店端末３０へ送信され、ＲＦＩＤリーダ／ライタ５０によりＲＦＩＤ隠蔽情報がＲＦＩＤ５へ書き込まれる（ステップＳ３）。尚、レコード１０２には、レコード１００と体系を合わせるため、機関ＩＤ、企業ＩＤと、識別ＩＤと、使用者を認証するための使用者認証情報が格納されている。
【００７８】
使用者は、ＲＦＩＤ隠蔽情報に書き換えられたＲＦＩＤを家庭へ持ち帰る（ステップＳ４）。物品の詳細情報を閲覧したい場合、ＲＦＩＤ５から使用者端末４０に接続されたＲＦＩＤリーダ／ライタ５１によりＲＦＩＤ隠蔽情報のレコード１０２が読み込まれる（ステップＳ５）。
【００７９】
ＲＦＩＤリーダ／ライタ５１により読み込まれたＲＦＩＤ隠蔽情報のレコード１０２及び使用者端末４０から入力された使用者情報は、物品情報サーバー６０へ提供され、物品の詳細情報が検索される（ステップＳ６）。物品情報サーバー６０では、提供されたレコード１０２に基づいてサーバー認証情報ＤＢ６４を参照し、レコード１０２及び使用者情報が情報管理サーバー２０へ振分けられる（ステップＳ７）。
【００８０】
情報管理サーバー２０は、レコード１０２に格納された使用者認証情報と使用者情報とに基づいて使用者の認証を行なう（ステップＳ８）。認証が成功した場合、情報管理サーバー２０は、ＲＦＩＤ退避情報ＤＢ２００から対応するＲＦＩＤ情報を抽出して使用者端末４０へ提供する。使用者端末４０のＲＦＩＤリーダ／ライタ５１によりＲＦＩＤ情報がＲＦＩＤ５に書き込まれ、情報が復元される（ステップＳ９）。使用者端末４０では、復元されたＲＦＩＤ情報に基づいて物品の詳細情報を取得してディスプレイに表示する。
【００８１】
このように、物品に関するＲＦＩＤ情報を使用者毎に情報管理サーバー２０に退避させ、ＲＦＩＤ情報をＲＦＩＤ隠蔽情報に変換し、また、使用者の認証結果に応じてＲＦＩＤ隠蔽情報からＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【００８２】
次に、複数のＲＦＩＤ情報の退避処理について詳細に説明する。図９は、複数のＲＦＩＤ情報の退避処理を示すフローチャート図である。図９において、使用者が読み書き可能なＲＦＩＤ５が付加された複数の物品（物品Ａ、Ｂ）を購入する場合、販売店端末３０（レジ）に設置されたＲＦＩＤリーダ／ライタ５０により物品Ａ、ＢのＲＦＩＤ５に格納されたＲＦＩＤ情報であるレコード１１０、１１１が読み込まれる（ステップＳ１）。
【００８３】
ＲＦＩＤリーダ／ライタ５０により読み込まれたＲＦＩＤ情報のレコード１１０、１１１は、例えば、販売店毎、レジ毎にグループ化（グループＸ）されて、物品情報サーバー６０へ提供されて物品の詳細情報が管理される。同時に、販売店端末３０から入力された使用者情報、例えば、電話番号、ｅ−ｍａｉｌ、認証コードなどが、物品管理サーバー６０へ提供される（ステップＳ２）。
【００８４】
また、物品情報管理サーバー６０から、レコード１１０、１１１が情報管理サーバー２０へ送信され、レコード１１０、１１１にＲＦＩＤを識別するための識別ＩＤを付加したレコード１１２、１１３がＲＦＩＤ退避情報ＤＢ２００に設定される（ステップＳ３）。また、情報管理サーバー２０は、物品情報サーバー６０からの使用者情報を暗号化した使用者認証情報を有するＲＦＩＤ隠蔽情報であるレコード１１４、１１５を作成し、使用者情報ＤＢ２１０に登録する（ステップＳ４）。尚、レコード１１４、１１５に格納される識別ＩＤの例として、レコード１２０に示すように、グループを識別する番号（グループＸ）、追番などを格納するようにしてもよい。また、レコード１１４、１１５に格納される使用者認証情報の例として、レコード１２１に示すように、使用者の電話番号、使用者の認証コードなどを格納するようにしてもよい。
【００８５】
作成されたＲＦＩＤ隠蔽情報のレコード１１４、１１５は、販売店端末３０へ送信され、ＲＦＩＤリーダ／ライタ５０によりＲＦＩＤ５のＲＦＩＤ情報がＲＦＩＤ隠蔽情報のレコード１１４、１１５に書き換えられる（ステップＳ５）。
【００８６】
このように、複数の物品のＲＦＩＤ情報を情報管理サーバー２０に退避させ、ＲＦＩＤ情報をＲＦＩＤ隠蔽情報に変換することにより、複数の物品に関するＲＦＩＤ情報を効率的に管理し、ＲＦＩＤ情報の漏洩を防止することができる。
【００８７】
次に、読込み専用ＲＦＩＤの場合のＲＦＩＤ情報退避復元処理について詳細に説明する。図１０は、読込み専用ＲＦＩＤの場合のＲＦＩＤ情報退避復元処理を示すフローチャート図である。図１０において、使用者が読込み専用ＲＦＩＤ５が付加された物品を購入する場合、販売店端末３０（レジ）に設置されたＲＦＩＤリーダ／ライタ５０によりＲＦＩＤ５に格納されたＲＦＩＤ情報であるレコード１００が読み込まれる（ステップＳ１）。
【００８８】
ＲＦＩＤリーダ／ライタ５０により読み込まれたＲＦＩＤ情報のレコード１００は、物品情報サーバー６０へ提供され、物品の詳細情報が検索される（ステップＳ２）。同時に、ＲＦＩＤリーダ／ライタ５０により読み込まれたレコード１００及び販売店端末３０から入力された使用者情報が、情報管理サーバー２０へ提供され、レコード１００にＲＦＩＤを識別するための識別ＩＤを付加したレコード１０１がＲＦＩＤ退避情報ＤＢ２００に登録される。また、情報管理サーバー２０は、ＲＦＩＤ情報を使用者情報に基づいて隠蔽情報（ＲＦＩＤ情報及び使用者情報）に変換したレコード１１９を作成し、使用者情報ＤＢ２１０に登録する。同時に、販売店端末３０のＲＦＩＤリーダ／ライタ５０により、ＲＦＩＤ５のレコード１００が読込み不可能な無効情報を示すレコード１１６にする（ステップＳ３）。この無効情報を示すレコード１１６には、オールゼロ、オール空白、オールＦ、オールＮｕｌｌなどが一度のみ書き込まれる。
【００８９】
販売店端末３０（又は情報管理サーバー２０）から、物品の詳細情報の閲覧が可能なＷｅｂページの所在情報であるＵＲＬを、使用者端末４０（又は携帯電話６）へ電子メールで通知する（ステップＳ４）。使用者は、使用者端末４０に通知されたＵＲＬからＷｅｂページを参照する（ステップＳ５）。Ｗｅｂページを管理する情報管理サーバー２０からの問い合わせに応じて、使用者端末４０からＲＦＩＤ情報及び使用者情報を受信し、認証を行なう（ステップＳ６）。認証が成功すると、情報管理サーバー２０は、その使用者が購入した物品のＲＦＩＤ情報のレコード１０１を物品情報サーバー６０へ提供し、物品の詳細情報が検索される（ステップＳ７）。使用者端末４０では、Ｗｅｂページに物品の詳細情報が表示される。
【００９０】
このように、物品に関するＲＦＩＤ情報を使用者毎に情報管理サーバー２０に退避させ、ＲＦＩＤ情報を無効にし、また、使用者の認証結果に応じてＲＦＩＤ情報を使用者に提供することにより、物品に関するＲＦＩＤ情報の漏洩を防止すると共に、使用者は物品の詳細情報を閲覧することができる。
【００９１】
次に、読込み専用ＲＦＩＤの場合のＲＦＩＤ情報の復元処理について詳細に説明する。図１１は、読込み専用ＲＦＩＤの場合のＲＦＩＤ情報の復元処理を示すフローチャート図である。図１１において、使用者が家庭へ持ち帰った複数の物品の詳細情報を閲覧したい場合、ＲＦＩＤ５のレコード１１７、１１８は読込み不可能であるため、使用者端末４０からＷｅｂページに接続し、情報管理サーバー２０により物品を購入した使用者の認証が行なわれる（ステップＳ１）。
【００９２】
情報管理サーバー２０は、認証が成功すると、使用者情報ＤＢ２１０に格納された隠蔽情報（ＲＦＩＤ情報及び使用者情報）のレコード１２５、１２６の識別ＩＤと対応する、ＲＦＩＤ退避情報ＤＢ２００に格納されたＲＦＩＤ情報のレコード１１０、１１１を抽出する。抽出されたＲＦＩＤ情報のレコード１１０、１１１は、物品情報サーバー６０へ提供され、物品の詳細情報が検索される（ステップＳ２）。物品情報サーバー６０では、提供されたレコード１２５、１２６に基づいて抽出された物品の詳細情報（物品情報）を使用者端末４０又は携帯電話６へ送信する（ステップＳ３）。
【００９３】
このように、使用者の認証結果に応じて物品の詳細情報を使用者端末４０に提供することにより、物品に関するＲＦＩＤ情報の漏洩を防止すると共に、使用者は物品の詳細情報を閲覧することができる。
【００９４】
次に、本発明の第２実施例のＲＦＩＤ情報退避復元システムについて説明する。図１２は、本発明の第２実施例に係るＲＦＩＤ情報退避復元システムを説明するための図である。図１２に示すＲＦＩＤ情報退避復元システム１３において、情報管理サーバー２０、販売店端末３０、使用者端末４０、物品情報ＤＢ６５は、インターネット２を介して接続されるものとする。
【００９５】
先ず、使用者が読書き可能なＲＦＩＤ５が付加された物品を購入する場合、販売店端末３０に設置されたＲＦＩＤリーダ／ライタ５０によりＲＦＩＤ５に格納されたＲＦＩＤ情報を読み込む（ステップＳ１）。ここで、読み込む時点のＲＦＩＤ情報は有効（ｏｎ）であり、読み込んだ後にＲＦＩＤ情報は無効（隠蔽）（ｏｆｆ）にされる。
【００９６】
ＲＦＩＤリーダ／ライタ５０により読み込まれたＲＦＩＤ情報は、情報管理サーバー２０に退避され、ＲＦＩＤ退避情報ＤＢ２００に格納される。同時に提供された使用者情報に基づいて、ＲＦＩＤ情報をＲＦＩＤ隠蔽情報に変換し、使用者情報ＤＢ２１０に登録される（ステップＳ２）。また、ＲＦＩＤリーダ／ライタ５０により読み込まれたＲＦＩＤ情報は、物品情報ＤＢ６５へ提供され、物品の詳細情報が検索される（ステップＳ３）。
【００９７】
また、使用者は物品の詳細情報を閲覧したい場合、ＲＦＩＤ５から使用者端末４０に接続されたＲＦＩＤリーダ／ライタ５１により無効にされた情報が読み込まれ、情報管理サーバー２０へ送信される。情報管理サーバー２０では、使用者の認証が行なわれ、ＲＦＩＤ情報の復元が行なわれる。即ち、ＲＦＩＤ５の無効とされたＲＦＩＤ情報が有効となる（ステップＳ４）。
【００９８】
使用者端末４０では、ＲＦＩＤリーダ／ライタ５１により有効になったＲＦＩＤ情報を読み込み、そのＲＦＩＤ情報に基づいて物品情報ＤＢ６５を参照し、物品の詳細情報を検索する（ステップＳ５）。また、使用者端末４０では、情報管理サーバー２０から通知されたＵＲＬからＷｅｂページを参照し、所定の物品の詳細情報を検索する（ステップＳ６）。
【００９９】
このように、物品に関するＲＦＩＤ情報を情報管理サーバー２０に退避させ、ＲＦＩＤ情報を無効にし、また、使用者の希望に応じてＲＦＩＤ情報を有効にすることにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【０１００】
尚、ＲＦＩＤ情報退避復元システムにおいて実行されるプログラムの設定、或いは契約に応じて、ＲＦＩＤリーダ／ライタ５０、５１で書き換え、書き戻し処理を行わず、ＲＦＩＤ隠蔽情報を情報管理サーバー２０に送信し、情報管理サーバー２０では、復元処理としてＲＦＩＤ情報、或いはそれを記載したＷｅｂページのＵＲＬを電子メールで使用者端末４０に、ＲＦＩＤ情報を送信しないようにしてもよい。これにより、ＲＦＩＤ情報の漏洩を心配せずに、いつでもＲＦＩＤの情報を入手することができる。
【０１０１】
次に、本発明の第３実施例のＲＦＩＤ情報退避復元システムについて説明する。図１３は、本発明の第３実施例に係るＲＦＩＤ情報退避復元システムを説明するための図である。図１３に示すＲＦＩＤ情報退避復元システム１４において、情報管理サーバー２０、使用者端末４０、物品情報／部品情報ＤＢ６６、業者端末７０は、インターネット２を介して接続されるものとする。ＲＦＩＤ情報退避復元システム１４は、リサイクル業者がＲＦＩＤ情報をリサイクル情報として有効活用するためのシステムである。
【０１０２】
使用者が読書き可能なＲＦＩＤ５が付加された物品を廃棄する場合、ＲＦＩＤリーダ／ライタ８０によりＲＦＩＤ５に格納された、有効（ｏｎ）のＲＦＩＤ情報を一括して無効（隠蔽）（ｏｆｆ）にする（ステップＳ１）。
【０１０３】
また、ＲＦＩＤリーダ／ライタ８０により無効にされる前に読み込まれたＲＦＩＤ情報は、情報管理サーバー２０に退避され、ＲＦＩＤ退避情報ＤＢ２００に格納される（ステップＳ２）。使用者は、無効になったＲＦＩＤを付加した物品を廃棄する（ステップＳ３）。業者は、廃棄された物品を回収する（ステップＳ４）。業者端末７０に接続されたＲＦＩＤリーダ／ライタ５３により、回収された物品のＲＦＩＤから無効になったＲＦＩＤ情報を読み込み、そのＲＦＩＤ情報と業者情報を情報管理サーバー２０へ送信する。情報管理サーバー２０では、業者情報ＤＢ２３０に格納された業者情報に基づいて認証を行なう。認証が成功した場合、情報管理サーバー２０は、ＲＦＩＤ退避情報ＤＢ２００に格納されたＲＦＩＤ情報を抽出して業者端末７０に提供する。業者端末７０では、ＲＦＩＤリーダ／ライタ５３により、リサイクル可能な物品のＲＦＩＤに対してＲＦＩＤ情報を書き戻し、処分する物品のＲＦＩＤに対してＲＦＩＤ情報を削除する（ステップＳ５）。
【０１０４】
また、ＲＦＩＤリーダ／ライタ５３により書き戻されたＲＦＩＤ情報は、物品情報／部品情報ＤＢ６６へ提供され、物品／部品の詳細情報が検索される。また、ＲＦＩＤリーダ／ライタ５３により削除されたＲＦＩＤ情報が物品情報／部品情報ＤＢ６６で参照され、物品情報／部品情報ＤＢ６６に存在する場合、そのＲＦＩＤ情報に対応する物品／部品の詳細情報を削除する（ステップＳ６）。また、業者端末７０では、情報管理サーバー２０から通知されたＵＲＬからＷｅｂページを参照し、所定の物品／部品の詳細情報を検索する（ステップＳ７）。
【０１０５】
このように、リサイクル業者が、リサイクルする物品のＲＦＩＤ情報を復元することにより、物品の詳細情報の閲覧が可能なＲＦＩＤ情報を有効活用することができる。
【０１０６】
尚、上記ＲＦＩＤリーダ／ライタ８０は、複数のＲＦＩＤ５に格納されたＲＦＩＤ情報を一括して有効、無効に読み書きすることが可能なバケット型としてもよい。
【０１０７】
尚、本発明のＲＦＩＤ情報退避復元システムは、物品の販売だけでなく、倉庫での物品管理や、図書館での本の貸し出し管理等に適応させることができる。
【０１０８】
従って、本発明のＲＦＩＤ情報退避復元システムは、物品に関するＲＦＩＤ情報を使用者毎に情報管理サーバー２０に退避させ、ＲＦＩＤ情報をＲＦＩＤ隠蔽情報に変換し、また、使用者の認証結果に応じてＲＦＩＤ隠蔽情報からＲＦＩＤ情報に復元することにより、物品の詳細情報の閲覧が可能なＲＦＩＤ情報を有効活用することができ、物品に関するＲＦＩＤ情報の漏洩を防止すると共に、ＲＦＩＤの普及に貢献することができる。
【図面の簡単な説明】
【０１０９】
【図１】本発明の第１実施例に係るＲＦＩＤ情報退避復元システムを示す構成図である。
【図２】本発明の第１実施例の変形例に係るＲＦＩＤ情報退避復元システムを示す構成図である。
【図３】情報管理サーバーでの処理を示すフローチャート図である。
【図４】販売店端末での処理を示すフローチャート図である。
【図５】識別ＩＤのレコードの形態を示す図である。
【図６】読書き可能なＲＦＩＤの場合の使用者端末での処理を示すフローチャート図である。
【図７】読込み専用ＲＦＩＤの場合の使用者端末での処理を示すフローチャート図である。
【図８】読書き可能なＲＦＩＤの場合のＲＦＩＤ情報退避復元処理を示すフローチャート図である。
【図９】複数のＲＦＩＤ情報の退避処理を示すフローチャート図である。
【図１０】読込み専用ＲＦＩＤの場合のＲＦＩＤ情報退避復元処理を示すフローチャート図である。
【図１１】読込み専用ＲＦＩＤの場合のＲＦＩＤ情報の復元処理を示すフローチャート図である。
【図１２】本発明の第２実施例に係るＲＦＩＤ情報退避復元システムを説明するための図である。
【図１３】本発明の第３実施例に係るＲＦＩＤ情報退避復元システムを説明するための図である。
【符号の説明】
【０１１０】
１            ネットワーク
２            インターネット
３            電話網
５            ＲＦＩＤ
６            携帯電話
１０〜１４    ＲＦＩＤ情報退避復元システム
２０          情報管理サーバー
２１          情報取得処理部
２２          退避処理部
２３          ＲＦＩＤ情報変換処理部
２４          認証処理部
２５          復元処理部
２６          Ｗｅｂページ作成処理部
３０          販売店端末
３１          ＲＦＩＤ情報取得処理部
３２          情報送信処理部
３３          ＲＦＩＤ隠蔽情報書換処理部
３４          ＲＦＩＤ隠蔽情報受信処理部
３５          使用者情報取得処理部
４０          使用者端末
４１          ＲＦＩＤ隠蔽情報取得処理部
４２          情報送信処理部
４３          ＲＦＩＤ情報書戻し処理部
４４          ＲＦＩＤ情報受信処理部
４５          使用者情報取得処理部
４６          物品情報表示処理部
５０、５１、８０    ＲＦＩＤリーダ／ライタ
６０          物品情報サーバー
６１          企業情報ＤＢ
６２          業界情報ＤＢ
６３          物品情報ＤＢ
６４          サーバー認証情報ＤＢ
６６          物品情報／部品情報ＤＢ
７０          業者端末
２００        ＲＦＩＤ退避情報ＤＢ
２１０        使用者情報ＤＢ
２２０        物品情報ＤＢ
【図１】
2005165410.tif 000003
【図２】
2005165410.tif 000004
【図３】
2005165410.tif 000005
【図４】
2005165410.tif 000006
【図５】
2005165410.tif 000007
【図６】
2005165410.tif 000008
【図７】
2005165410.tif 000009
【図８】
2005165410.tif 000010
【図９】
2005165410.tif 000011
【図１０】
2005165410.tif 000012
【図１１】
2005165410.tif 000013
【図１２】
2005165410.tif 000014
【図１３】
2005165410.tif 000015